(57)【特許請求の範囲】
【請求項１】
エンベロープ面にアキシアル方向溝（１５）を有しているネジ付シャフト（１３）にシャフトナット（８）を固定するためのロック機構で利用されるロック板（１）において、
前記ロック板（１）が、第１の端部（１ａ）、第２の端部（１ｂ）、及び前記シャフトナット（８）に取り付けるための取付手段（１１）を有しており、
前記ロック板（１）の突出部分（７）が、内方に突出しており、前記ネジ付シャフト（１３）の前記アキシアル方向溝（１５）内に入るようになっており、
前記ロック板（１）が、離隔配置され且つ細長い弧状に形成されている、位置合わせのための第１の貫通穴（４）及び第２の貫通穴（５）と、開口部が形成されていない材料から成る中間部分（６）とを有しており、
前記ロック板（１）の内方に突出している前記突出部（７）が、離隔配置された細長い弧状に形成された第１の貫通穴（４）と第２の貫通穴（５）との間において、前記中間部分（６）に関して非対称に配置されていることを特徴とするロック板（１）。
【請求項２】
前記ロック板（１）の内方に突出している前記突出部分（７）が、前記第１の貫通穴（４）及び前記第２の貫通穴（５）のうち一方の貫通穴（４）の端部（４ｂ）のラジアル方向内方に配設されており、
前記端部（４ｂ）が、前記第１の貫通穴（４）及び前記第２の貫通穴（５）のうち他方の貫通穴（５）に隣接していることを特徴とする請求項１に記載のロック板（１）。
【請求項３】
前記ロック板（１）の内方に突出している前記突出部分（７）が、Ｔ状の端部を有しており、これにより前記ロック板（１）が、前記ロック板（１）の平坦な側面のうち一方の側面が前記シャフトナットに対向している状態において、前記シャフトナット（８）の前記一方の側面に固定され、前記シャフト（１３）の前記アキシアル方向溝（１５）内に入ることを特徴とする請求項１又は２に記載のロック板（１）。
【請求項４】
前記第１の貫通穴（４）及び前記第２の貫通穴（５）が、互いに対して離隔配置されており、位置合わせのために細長い弧状に形成されており、半円状端部壁（４ａ，４ｂ；５ａ，５ｂ）を有する湾曲したスロットを備えており、
内方に突出している前記突出部（７）が、細長い弧状に形成されている前記第１の貫通穴（４）及び前記第２の貫通穴（５）のうち一方の貫通穴の半円状端部壁（４ｂ）の中心（４ｂ０）のラジアル方向内方に配設されており、細長い弧状に形成されている前記第１の貫通穴（４）及び前記第２の貫通穴（５）のうち他方の貫通穴の対応する半円状端部壁（５ａ）に面していることを特徴とする請求項１〜３のいずれか一項に記載のロック板（１）。
【請求項５】
細長い弧状に形成されている前記第１の貫通穴（４）の半円状端部壁（４ａ，４ｂ）の中心（４ａ０，４ｂ０）の間の長さが、細長い弧状に形成されている前記第２の貫通穴（５）の前記半円状端部壁（５ａ，５ｂ）の中心（５ａ０，５ｂ０）の間の長さと、
前記第１の貫通穴（４）の前記半円状端部壁（４ｂ）の中心（４ｂ０）と前記第２の貫通穴（５）の前記半円状端部壁（５ａ）の中心（５ａ０）との間の長さと、に等しいことを特徴とする請求項４のいずれか一項に記載のロック板（１）。
【請求項６】
ネジ付シャフト（１３）にシャフトナット（８）を固定するためのロック機構であって、
前記ネジ付シャフト（１３）の外側エンベロープ面に形成されている少なくとも１つのアキシアル方向溝（１５）と、
前記シャフトナット（８）の側面のうち一の側面に沿って等間隔で離隔配置されているネジ穴（９）を有している前記シャフトナット（８）と、
請求項１〜５のうちいずれか一項に記載の前記ロック板（１）であって、前記ロック板（１）の前記第１の貫通穴（４）及び前記第２の貫通穴（５）が、前記シャフトナット（８）における隣り合う２つの前記ネジ穴（９）のうち一方のネジ穴と常に位置合わせされるように配置されている前記ロック板（１）と、
ラジアル方向において前記第１の貫通穴（４）及び前記第２の貫通穴（５）よりも大きい頭を有しているボルト（１１）であって、前記第１の貫通穴（４）及び前記第２の貫通穴（５）それぞれを貫通して挿入され、前記シャフトナット（８）内において前記ネジ穴（９）に螺入されている前記ボルト（１１）と、
を備えている前記ロック機構において、
前記ロック板（１）の前記突出部（７）が、非対称に位置決めされ且つ内方に突出していることによって、前記ロック板（１）が、前記突出部（７）が前記アキシアル方向溝（１５）内に入るように前記第１の貫通穴（４）及び前記第２の貫通穴（５）の長さ方向に沿って調整され、これにより前記ボルト（１１）が前記ネジ穴（９）に締結された場合に、前記ネジ付シャフト（１３）と前記シャフトナット（８）との間における相対運動が防止されることを特徴とするロック機構。
【請求項７】
ロックワッシャ（１２）が、前記ボルト（１１）それぞれの頭と前記ロック板（１）の隣接する側面との間に位置決めされていることを特徴とする請求項６に記載のロック機構。
【請求項８】
前記第１の貫通穴（４）及び前記第２の貫通穴（５）が、互いに対して離隔配置されており、位置合わせのために細長い弧状に形成されており、半円状端部壁（４ａ，４ｂ；５ａ，５ｂ）を有する湾曲したスロットを備えており、
等間隔で離隔配置された前記シャフトナット（８）の前記ネジ穴（９）の数量をｎとした場合に、前記半円状端部壁（４ａ，４ｂ；５ａ，５ｂ）の中心（４ａ０，４ｂ０，５ａ０，５ｂ０）同士の間において、細長い弧状に形成されている前記第１の貫通穴（４）の中心（４ａ０，４ｂ０）間の中心角と、前記第２の貫通穴（５）の中心（５ａ０，５ｂ０）間の中心角と、前記中心（４ｂ０，５ａ０）間の中心角と、が、３６０°／（２×ｎ）であることを特徴とする請求項６又は７に記載のロック機構。
【請求項９】
前記第１の貫通穴（４）及び前記第２の貫通穴（５）が、互いに対して離隔配置されており、位置合わせのために細長い弧状に形成されており、半円状端部壁（４ａ，４ｂ；５ａ，５ｂ）を有する湾曲したスロットを備えており、
等間隔で離隔配置されている前記シャフトナット（８）の前記ネジ穴（９）の数量ｎが１６である場合に、前記半円状端部壁（４ａ，４ｂ；５ａ，５ｂ）の中心（４ａ０，４ｂ０，５ａ０，５ｂ０）同士の間において、細長い弧状に形成されている前記第１の貫通穴（４）の中心（４ａ０，４ｂ０）間の中心角と、前記第２の貫通穴（５）の中心（５ａ０，５ｂ０）間の中心角と、前記中心（４ｂ０，５ａ０）間の中心角と、がすべて１１．２５°であり、又は、
等間隔で離隔配置されている前記シャフトナット（８）の前記ネジ穴（９）の数量ｎが８である場合に、前記半円状端部壁（４ａ，４ｂ；５ａ，５ｂ）の中心（４ａ０，４ｂ０，５ａ０，５ｂ０）同士の間において、細長い弧状に形成されている前記第１の貫通穴（４）の中心（４ａ０，４ｂ０）間の中心角と、前記第２の貫通穴（５）の中心（５ａ０，５ｂ０）間の中心角と、前記中心（４ｂ０，５ａ０）間の中心角と、がすべて２２．５°であり、又は、
等間隔で離隔配置されている前記シャフトナット（８）の前記ネジ穴（９）の数量ｎが４である場合に、前記半円状端部壁（４ａ，４ｂ；５ａ，５ｂ）の中心（４ａ０，４ｂ０，５ａ０，５ｂ０）同士の間において、前記第１の貫通穴（４）の中心（４ａ０，４ｂ０）間の中心角と、前記第２の貫通穴（５）の中心（５ａ０，５ｂ０）間の中心角と、前記中心（４ｂ０，５ａ０）間の中心角と、がすべて４５°であることを特徴とする請求項６〜８のいずれか一項に記載のロック機構。
【発明の詳細な説明】
【技術分野】
【０００１】
本発明は、ネジ部を有するシャフトに螺合しているシャフトナットが不慮に緩むことを確実に防止するためのロック機構において利用されるロック板に関し、このようなロック板を備えているロック機構にも関連する。
【背景技術】
【０００２】
シャフトのエンベロープ面においてネジによって締結されるシャフトナットは、シャフトに装着された構成部品を所定位置に確実に維持するために利用される。シャフトナットが不慮に緩むことを確実に防止するために、又はシャフト又は構成部品の振動及び移動の結果として、シャフトナットに取付可能なロック板であって、シャフトに形成された対応する多数のアキシアル方向溝のうち一のアキシアル方向溝に嵌め込まれるように配置されている、内方に突出している突出部を有しているロック板を備えているロック機構を利用することができる。このようなロック機構によって、シャフトナットが緩むことが防止される。シャフトのエンベロープ面には、限られた数のアキシアル方向溝を形成することができるにすぎないので、シャフトナットが所望の位置に締め付けられる場合に、ロック板の内方に突出している突出部がシャフトの溝と正確に見当を合わせるためには、課題が存在する。
【０００３】
特許文献１には、シャフトナットの開口部に螺入可能な取付ボルトのために２つの円状のボルト穴を有している、弓状本体部分が開示されている。２つのボルトの間隔がシャフトナットの２つの隣り合う開口部の距離に等しい。該ロック板の内方に突出している突出部は、ロック板の中心から特に４．５°の角度でオフセットされているので、シャフトの溝と突出部とを位置合わせを多様な様式で可能となる。該ロック板とロック機構とを利用することによって、シャフトナットの締結位置を確実に見つけることができるようになるが、このためには、数度（°）に亘るシャフトナットの逆回転を必要とする。しかしながら、このことは、当該特許文献におけるロック機構によって、最適な締付力でシャフトナットを確実にロックすることを保証することができないことを意味する。
【０００４】
特許文献２は、シャフトの溝内に入るように配置されていると共に内方に突出している突出部を有しているロック板を備えており、これにより突出部の端部がシャフトナットの下方においてシャフトの溝内に入るために側方に屈曲される、さらなるロック機構を開示する。該ロック板は、ロック板の細長い穴を貫通して延在していると共にシャフトナットの側面に形成されたネジ穴のうち一のネジ穴に螺入されている、１本のボルトのみによってシャフトナットに固定されている。ロック板の内方に突出している突出部は、ロック板の端部のうち一の端部に配設されている。ロック板をシャフトナットに補足するボルトが、該細長い穴を貫通して延在しているので、ロック板の内方に突出している突出部の位置がシャフトのアキシアル方向溝の位置と一致する多くの位置を見つけることができる。ロック板は、１本のボルトのみによって固定され、ロック板の開口部によって確実に案内されるので、ロック板とシャフトナットとの間における把持力は小さく、隆起部分を有していると共にシャフトナットを対向するロック板の側面とシャフトナットの側面とに分断する効果を有している中間ワッシャによって補償される。内方に突出している突出部の端部がＬ状に湾曲しているので、ロック板の側面が端部と同一方向に突出している状態で常にロック板が配置されている必要があり、突出部の端部とシャフトのアキシアル方向溝との見当合わせ位置に到達する可能性が低減する。
【先行技術文献】
【特許文献】
【０００５】
【特許文献１】米国特許第４０９０５４５号明細書
【特許文献２】独国実用新案登録出願第２０３０２８４３号明細書
【発明の概要】
【発明が解決しようとする課題】
【０００６】
本発明の目的は、従来の既知のロック板及びロック機構の課題及び欠点のうち少なくとも１つの課題又は欠点を解決することであり、シャフトナットをネジ部及びアキシアル方向溝をそのエンベロープ面に有するシャフトに固定するためのロック機構で利用するためのロック板であって、ロック板がシャフトナットに取り付けるための第１の端部及び第２の端部を有している。ロック板の一部分が、内方に突出しており、ネジ付シャフトのアキシアル方向溝内に入るようになっており、ロック板が、離隔配置されている細長い弧状に形成された第１の貫通穴及び第２の貫通穴と、開口部が形成されていない材料から成る中間部分とを有しており、ロック板の内方に突出している突出部が、離隔配置されている細長い弧状に形成された第１の貫通穴と第２の貫通穴との間において、開口部が形成されていない材料から成る中間部分に関して非対称に配置されている、ロック板によって達成される。
【０００７】
本発明について、添付図面に示す実施例を参照しつつ以下に説明する。
【図面の簡単な説明】
【０００８】
【図１】本発明におけるロック板の平面図である。
【図２】部分的に表わすシャフトナットの側面に取り付けられている、図１に表わすロック板の斜視図である。
【図３】好ましい実施例における曲率中心及び角度を有している本発明におけるロック板の平面図である。
【図４】本発明におけるロック板及び取付ボルトの斜視図である。
【図５】本発明におけるロック板、シャフトナット、及びネジ付シャフトの一部分の斜視図である。
【発明を実施するための形態】
【０００９】
図１は、本発明のおけるロック板１の平面図である。ロック板１は、ネジ端部と該ロック板のエンベロープ面（envelope surface）に形成された少なくとも１つのアキシアル方向溝とを備えているシャフト（図示せず）に嵌合されているシャフトナットを固定するようになっている。ロック板１は、第１の端部１ａ及び第２の端部１ｂと、湾曲した外面２及び湾曲した内面３と、開口部を有しない材料から成る中間部分６を有していると共に離隔配置され且つ細長い弧状に形成された２つの貫通穴４，５とを備えている。外面２、内面３、及び弧状に形成された貫通穴４，５それぞれが、半径２ｒ，３ｒ，４ｒ、及び５ｒを有している。これら半径のすべてが、共通する点Ａにおいて交差している（図３参照）。細長い弧状に形成された２つの貫通穴４，５の長さは略同一であり、中間部分６の長さは２つの貫通穴のうち一方の貫通穴の長さと略同一である。貫通穴４，５それぞれが、半円状端部４ａ，４ｂ，５ａ，５ｂを有しており、細長い貫通穴４，５の半円状端部の中心線も、共通する点Ａにおいて交差している。
【００１０】
さらに、ロック板１は、内向きに突出している突出部分７を備えている。当該実施例では、該突出部分はロック板１と一体に形成されており、シャフトのエンベロープ面に形成されたアキシアル方向溝の深さに略一致する距離でラジアル方向内向きに延在している。このラジアル方向内向きに突出している突出部分７は、離隔配置されると共に細長い弧状に形成された第１の貫通穴４と第２の貫通穴５との間において、開口部を有しない材料から成る中間部分６に関して非対称に配設されている。当該実施例では、内向きに突出している突出部分７の中央部分が、細長い弧状に形成された貫通穴４，５のうち一方の貫通穴の半円状端部４ｂの円弧上に、より具体的には、細長い弧状に形成された貫通穴のうち他方の貫通穴５の隣り合う半円状端部５ａに隣接している一方の半円状端部４ｂに配置されている。
【００１１】
図２は、部分的に図示するシャフトナット８に取り付けられたロック板１の斜視図である。シャフトナット８の側面には、等間隔で離隔配置された多数のネジ穴９が形成されている。該シャフトナットの外側エンベロープ面には、ナットをシャフトのネジ部分に締結するための工具（図示せず）のために、等間隔で離隔配置された多数の把持用凹所１０が形成されている。
【００１２】
ロック板１が、細長い貫通穴４，５を貫通して延在していると共にシャフトナット８の側面に形成されたネジ穴９に螺入されているボルト１１を介して、シャフトナット８の側面に取り付けられている。図示の如く、略ラジアル方向内向きに突出している突出部分７の外側端部の断面はＴ状であり、これによりシャフトナット８と反対向きに面していると共にシャフトナット８の側面に係合している図示の位置又はその逆の位置において、ロック板１は利用可能とされる。内向きの突出部分の端部がＴ状であるので、Ｔ状端部の一のリブが、シャフト内でアキシアル方向溝に係合するための位置に常に配設されている。
【００１３】
図３は、本発明におけるロック板１の平面図であって、好ましい実施例におけるロック板の曲率中心Ａと角度（angular measure）とを示している。
【００１４】
図示の実施例では、湾曲しているロック板１の中心角（arch length）は４５°であり、弧状に形成された貫通穴４の半円状端部の中心４ａ０から中心４ｂ０に至る弧の中心角、弧状に形成された貫通穴５の半円状端部の中心５ａ０から中心５ｂ０に至る弧の中心角、及び弧状に形成された貫通穴４の半円状端部の中心４ｂ０から弧状に形成された貫通穴５の半円状端部の隣り合う中心５ａ０に至る弧の中心角は、すべて等しく、約１１．２５°である。また、ロック板１のラジアル方向内方に突出している突出部分７がロック板の中心線Ｘからオフセットされて位置決めされており、当該実施例では、半円状端部４ｂ０の中心線を中心として配設されており、これにより、突出部分７が、２つの細長い弧状に形成された貫通穴４，５間の中間部分６に関して非対称であることは明らかである。
【００１５】
図４は、本発明におけるロック板１の斜視図であって、取付ボルト１１が貫通穴４，５を貫通して取り付けられた状態を表わす。取付ボルト１１の頭と取付ボルトの頭に面しているロック板の側面との間には、ワッシャ１２が設けられている。ワッシャ１２は、好ましくは例えばＮＯＲＤ−ＬＯＣＫ（登録商標）と呼称されるロックワッシャのようなロック機能を有している。また、他のタイプのロックワッシャを利用可能なことは当然である。
【００１６】
図５は、ネジ端部１４を有しているシャフト１３の一部分を表わす斜視図であって、シャフトナット８がシャフトのネジが切られた端部に螺合している状態を表わす。図示の実施例では、シャフトナットの外側エンベロープ面には、等間隔で離隔配置された８つの把持用凹所１０が形成されている。さらに、図示の実施例では、シャフトナットの側面には、１６個の等間隔で離隔配置されたネジ穴９が設けられており、該ネジ穴のうち２つのネジ穴には、ロック板１をシャフト１３に固定するために取付ボルト１１が螺合されている。シャフトには、ロック板１のラジアル方向内方に突出している突出部７が係合するようになっているアキシアル方向溝１５が形成されている。
【００１７】
シャフトナットに等間隔で離隔配置されたネジ穴９の数をｎとすれば、細長い弧状に形成された貫通穴４，５の中心角が実質的に３６０°／（２×ｎ）で算出されるので、このようなロック板の構成によって、ロック板１が取付可能な一組の隣り合うネジ穴９を容易に発見することができ、さらには内向きに突出している突出部７をシャフト１３のアキシアル方向溝１５に係合させることができる。突出部７のＴ状端部によって、ロック板１を反転させることができる。異なる図面に表わす実施例では、細長い弧状に形成された貫通穴の、円状端部壁の中心同士の間における中心角はすべて、１１．２５°であり、シャフトナットに等間隔に離隔配置されたネジ穴の数ｎは、１６である。しかしながら、シャフトナットに等間隔に離隔配置されたネジ穴の数ｎが８つである場合には、中心角が２２．５°であり、シャフトナットに等間隔に離隔配置されたネジ穴の数ｎが４つである場合には、中心角が４５°である。
【００１８】
本発明は、図面に示し且つ図面を参照して説明された実施例に限定される訳ではなく、変形例及び改良例も特許請求の範囲の技術的範囲に属するものである。従って、例えばシャフトナットが取り付けられるシャフトにはネジ端部が形成されていても良く、シャフトが、例えばクランプスリーブやアダプタスリーブやこのような雌ネジ部分を有しているシャフトに締り嵌めされるスリーブのようなスリーブを備えていいても良い。また、シャフト自体ではなくこのようなスリーブ内に、ロック板の内方に突出している突出部が係合するアキシアル方向溝を配置させても良い。
【符号の説明】
【００１９】
１    ロック板
１ａ  第１の端部
１ｂ  第２の端部
２    外面
２ｒ  半径
３    内面
３ｒ  半径
４    貫通穴
４ａ  半円状端部
４ｂ  半円状端部
４ｒ  半径
５    貫通穴
５ａ  半円状端部
５ｂ  半円状端部
５ｒ  半径
６    中間部分
７    突出部分
８    シャフトナット
９    ネジ穴
１０    把持用凹所
１１    取付ボルト
１２    ワッシャ
１３    シャフト
１４    ネジ端部
１５    アキシアル方向溝
【図１】
0005611974.tif 000002
【図２】
0005611974.tif 000003
【図３】
0005611974.tif 000004
【図４】
0005611974.tif 000005
【図５】
0005611974.tif 000006